(57)【要約】  浸出製品用の単一葉のフィルタバッグは、必要量の浸出製品４を包含するチャンバー３を形成する長いフィルタ材料２を具備する。長いフィルタ材料２が、その２つの第１の縁部間に第１の結合Ｓ１によって形成される第１の封止上端部５と、第２の封止下端部７と、長いフィルタ材料２の第１の封止上端部５及び第２の封止下端部７を接続する２つの側面８，９とを具備し、第１の封止上端部５及び第２の封止下端部７を接続する２つの側面８，９は、チャンバー３の内側に向かう折り目を形成するために互いに向かって少なくとも部分的に折り畳まれ、フィルタバッグ１の第２の封止下端部７が、フィルタバッグ１を支持するために、略三角形の横断面を備えた、安定した底面を形成するようにフィルタバッグ１の固い平坦な底面１１を形成するように構成された第２の結合Ｓ２によって封止されている。
2009545498.tif 000002
【特許請求の範囲】
【請求項１】
浸出製品用の単一葉のフィルタバッグであって、該フィルタバッグ（１）が、必要量の浸出製品（４）を包含するチャンバー（３）を形成する長いフィルタ材料（２）を具備し、該長いフィルタ材料（２）が、その２つの第１の縁部間に第１の結合（Ｓ１）によって形成される第１の封止上端部（５）と、第２の封止下端部（７）と、当該長いフィルタ材料２の前記第１の封止上端部（５）及び前記第２の封止下端部（７）を接続する２つの側面（８，９）とを少なくとも具備する単一葉のフィルタバッグにおいて、前記第１の封止上端部（５）及び前記第２の封止下端部（７）を接続する前記２つの側面（８，９）が、前記チャンバー（３）の内側に向かう折り目を形成するために互いに向かって少なくとも部分的に折り畳まれ、当該フィルタバッグ（１）の前記第２の封止下端部（７）が、当該フィルタバッグ（１）を支持するために、略三角形の横断面を備えた、安定した底面を形成するように当該フィルタバッグ（１）の固い平坦な底面（１１）を形成するように構成された第２の結合（Ｓ２）によって封止されていることを特徴とする単一葉のフィルタバッグ。
【請求項２】
前記第２の封止下端部（７）が、前記支持底面（１１）を直接形成するように、一方が他方の上に折り畳まれると共に当該第２の封止下端部（７）に沿って結合する２つの第２縁部（７ａ、７ｂ）を具備することを特徴とする請求項１に記載のフィルタバッグ。
【請求項３】
前記第２の封止下端部（７）が、前記支持底面を形成する連続する底面（１１）を得るように、一方が他方の上に折り畳まれると共に前記接続側面（８，９）の下部の端部（８ａ、８ｂ、９ａ、９ｂ）で結合する２つの第２縁部（７ａ、７ｂ）を具備することを特徴とする請求項１に記載のフィルタバッグ。
【請求項４】
前記第２縁部（７ａ、７ｂ）が、前記第２の封止下端部（７）の中央の延長部を形成し、前記第２縁部（７ａ、７ｂ）が、互いに向かいあって配置され、前記支持底面（１１）上に折り畳まれてその固さを増大させるように、前記支持底面（１１）から突出し弾性的に構成されるタブ（１２）を形成するように結合されることを特徴とする請求項１又は２に記載のフィルタバッグ。
【請求項５】
前記タブ（１２）が、シール（Ｓ４）によって前記支持底面（１１）に対して折り畳まれ且つ安定して結合され、従って、より大きく固い長手方向の領域を形成することを特徴とする請求項４に記載のフィルタバッグ。
【請求項６】
前記側面（８，９）により近接した前記２つの第２縁部（７ａ、７ｂ）のそれぞれの端部が、前記第２の封止下端部（７）で前記固い支持底面（１１）を形成するように、前記チャンバー（３）の内側に向かって折り畳まれて斜めの形状を形成すると共に前記他の縁部（７ａ、７ｂ）の一致する領域上で平らとなっていることを特徴とする請求項１又は２に記載のフィルタバッグ。
【請求項７】
前記第２縁部（７ａ、７ｂ）のそれぞれの２つの端部が、前記第１の封止上端部（５）に向かって折り畳まれて、前記他の縁部（７ａ、７ｂ）の各端部の上であって前記長いフィルタ材料（２）の前記接続側面（８，９）の各下部の端部（８ａ、８ｂ、９ａ、９ｂ）に配置され斜めの形状を形成し、前記第２縁部（７ａ、７ｂ）の各一対の端部が、前記接続側面（８，９）の各下部の端部（８ａ、８ｂ、９ａ、９ｂ）と、シール（Ｓ２）によって相互に結合され、これによって、前記長いフィルタ材料（２）の固い側面の領域を形成し、当該フィルタバッグ（１）の封止された前記支持底面（１１）のために広い支持肩部を形成することを特徴とする請求項１又は３に記載のフィルタバッグ。
【請求項８】
前記長いフィルタ材料（２）に紐（１３）を具備し、該紐（１３）が、その一方の端部を前記長いフィルタ材料（２）自体にシールし、他方の端部を、前記長いフィルタ材料（２）に取り外し可能に取り付けられたタグ（１４）にシールすることによって結合されていることを特徴とする請求項１に記載のフィルタバッグ。
【請求項９】
前記長いフィルタ材料（２）が、ろ紙で構成されることを特徴とする請求項１に記載のフィルタバッグ。
【請求項１０】
前記長いフィルタ材料（２）が、生分解性材料で構成されることを特徴とする請求項１に記載のフィルタバッグ。
【請求項１１】
前記長いフィルタ材料（２）が、非生分解性のプラスチック材料で構成されることを特徴とする請求項１に記載のフィルタバッグ。
【請求項１２】
前記長いフィルタ材料（２）の結合が、ヒートシールによってなされる第１のシール（Ｓ１）及び第２のシール（Ｓ２）から形成されることを特徴とする請求項１に記載のフィルタバッグ。
【請求項１３】
前記長いフィルタ材料（２）の結合が、接着剤を用いてなされる第１のシール（Ｓ１）及び第２のシール（Ｓ２）によって形成されることを特徴とする請求項１に記載のフィルタバッグ。
【請求項１４】
前記長いフィルタ材料（２）の結合が、超音波シールによってなされる第１のシール（Ｓ１）及び第２のシール（Ｓ２）によって形成されることを特徴とする請求項１に記載のフィルタバッグ。
【請求項１５】
前記長いフィルタ材料（２）の前記第１の封止上端部（５）の前記角部（５ａ、５ｂ）が、角度（α）に従って対称的に斜めになっていることを特徴とする請求項１に記載のフィルタバッグ。
【請求項１６】
管状の前記長いフィルタ材料（２）が、最初は開いている管状の形状を有し、前記管を封止して第３のシール（Ｓ３）によって形成されるために、中央の結合を有していることを特徴とする請求項１又は２に記載のフィルタバッグ。
【請求項１７】
前記長いフィルタ材料（２）に紐（１３）を具備し、該紐（１３）は、一方の端部で結び目（Ａ１）によって前記長いフィルタ材料（２）自体に結合されると共に、他方の端部で結び目（Ａ２）によってタグ（１４）に結合され、前記紐（１３）は、前記長いフィルタ材料（２）周りに巻かれることを特徴とする請求項１に記載のフィルタバッグ。
【請求項１８】
前記長いフィルタ材料（２）に紐（１３）を具備し、該紐（１３）は、一方の端部で結び目（Ａ１）によって前記長いフィルタ材料（２）自体に結合されると共に、他方の端部で結び目（Ａ２）によってタグ（１４）に結合され、前記長いフィルタ材料（２）に取り外し可能に取り付けられ、前記紐（１３）は、前記長いフィルタ材料（２）周りに巻かれることを特徴とする請求項１に記載のフィルタバッグ。
【請求項１９】
前記タグ（１４）が、前記長いフィルタ材料（２）に対して保持されるように前記長いフィルタ材料（２）に結びつけられた前記紐（１３）の端部（Ｐ）と係合するように、その上部にスリット（１４ｆ）を有することを特徴とする請求項１６に記載のフィルタバッグ。
【発明の詳細な説明】
【技術分野】
【０００１】
本発明は、茶、コーヒー、カモミール茶葉等の浸出製品用の単一葉（ｓｉｎｇｌｅ−ｌｏｂｅ）又は単一チャンバーのフィルタバッグに関する。
【背景技術】
【０００２】
現在の市場は、上述したような製品を水の中で浸出するために、様々な種類のフィルタバッグ（又はティーバッグ）が売り出されている。
【０００３】
家庭及び公共の場の両方において消費者の間でフィルタバッグがますます広範に使用され人気が出た結果、現在、広範囲なフィルタバッグが入手可能であり、それによって、浸出中における液体との交換の容易性、保管期間、最終的な包装の容易性等の目的で、フィルタバッグデザインの多様化に対する、特に、製品の販売業者からの需要が高まっている。
【０００４】
現在使用されている２つの主なデザインは、（通常、紐とタグを備えた、）従来の単一葉のバッグ及び（同様に、紐とタグとを備え、個別の上包を備えるか又は備えない、）現在定着している二枚葉のバッグであり、その特徴は、液体と接触する領域がより大きいことであり、それによって、浸出製品から最適に風味を抽出することが可能となる。
【０００５】
長年にわたり、これら２つのデザインは、より最近の生分解性の製品を含む様々なタイプのろ紙から製造されてきた。
【０００６】
同様に、（これらが存在するデザインにおいて）バッグの封止及びそれと同時に紐及びタグを付ける方法が、製品のニーズに応じて、また、いくつかの国においては法的な要求、例えば、紐、タグ、及びフィルタバッグが、ステープラーの金属製の針や、接着剤、ヒートシール可能な「アクセサリースタンプ（ａｃｃｅｓｓｏｒｙ  ｓｔａｍｐ）」、紐それ自体を用いた縫い目の形成、又は接着剤のタグを用いることによって、封止され且つ結合されてもよいという要求に応じて多様化してきた。
【０００７】
これら全てが、フィルタバッグの品質、それらの製造に用いられるプロセス（フィルタバッグの製造機械）、及びエンドユーザーの満足度を改善してきた。
【発明の概要】
【発明が解決しようとする課題】
【０００８】
しかし、本願の出願人は、製品改良についてのその方針を続けながら、現在のフィルタバッグ、特に（本発明が特に関連している）単一葉のバッグが、それらが単一のチャンバーを有するからこそ、適切な三次元特性又は容積特性を欠く傾向があるその形状に起因する固有の欠点を有することに気付いた。その結果の欠点とは、製品が、浸出中に広がるための空間がより小さく、バッグ内でより制限されること、即ち、より低品質の浸出とより長い浸出時間であること、平らなバッグが、フィルタバッグの表面をゆがんだものにすること、フィルタバッグが位置決めの間に動くことが考えられるため、パックすることがより難しいこと、である。
【０００９】
フィルタバッグが平らなこと及びその動作は、包含された製品全体の品質を損なうと共に低下させる。また、ルーズな（即ち、単一の）フィルタバッグは、単一葉のバッグよりも非常に高価な四面体の又はピラミッド形のバッグのような他のタイプのフィルタバッグと異なり、（提示及び選択の間に）陳列目的のために直立させることができないということにも留意すべきである。
【課題を解決するための手段】
【００１０】
このために、出願人は、上述した欠点を克服する単一葉のフィルタバッグであって、その構造が、従来の単一葉のフィルタバッグの周知の特徴を備えるのに加えて、市場の要求を満たす「より固い」構造を提供するものとされ、同時に、浸出及びフィルタバッグそれ自体の全体の品質を改善するフィルタバッグを創造した。
【００１１】
従って、本発明は、単一葉のフィルタバッグ、特に、添付した１つ又はそれ以上のクレームに記載された技術的特徴を備えた浸出製品用の単一葉のフィルタバッグを提供することによって、この目的を達成する。
【００１２】
上述した目的を参照して、本発明の技術的特徴は以下の特許請求の範囲に明確に記載されており、その利点は、発明思想の範囲を制限することなく、単に例示目的で提供される本発明の好適な実施形態を示す添付した図面を参照して、以下の詳細な説明から明らかである。
【図面の簡単な説明】
【００１３】
【図１】本発明による浸出製品用の単一葉のフィルタバッグの第１の実施形態を斜視図で示す。
【図２】本発明による浸出製品用の単一葉のフィルタバッグの第１の実施形態を正面図で示す。
【図３】本発明による浸出製品用の単一葉のフィルタバッグの第１の実施形態を側面図で示す。
【図４】本発明による浸出製品用の単一葉のフィルタバッグの第１の実施形態を底面図で示す。
【図５】図１から図４のフィルタバッグの変形の正面図である。
【図６】本発明による浸出製品用の単一葉のフィルタバッグの第２の実施形態を斜視図で示す。
【図７】本発明による浸出製品用の単一葉のフィルタバッグの第２の実施形態を正面図で示す。
【図８】本発明による浸出製品用の単一葉のフィルタバッグの第２の実施形態を右側面図で示す。
【図９】本発明による浸出製品用の単一葉のフィルタバッグの第２の実施形態を左側面図で示す。
【図１０】本発明による浸出製品用の単一葉のフィルタバッグの第２の実施形態を底面図で示す。
【図１１】図６から図１０のフィルタバッグの変形を示す斜視図である。
【図１２】本発明による浸出製品用の単一葉のフィルタバッグの第３の実施形態を斜視図で示す。
【図１３】本発明による浸出製品用の単一葉のフィルタバッグの第３の実施形態を正面図で示す。
【図１４】本発明による浸出製品用の単一葉のフィルタバッグの第３の実施形態を後面図で示す。
【図１５】本発明による浸出製品用の単一葉のフィルタバッグの第３の実施形態を側面図で示す。
【図１６】本発明による浸出製品用の単一葉のフィルタバッグの第３の実施形態を底面図で示す。
【図１７】図１２から図１６の単一葉のフィルタバッグの第３の実施形態の変形の詳細を示す斜視図である。
【図１８】図１２から図１６の単一葉のフィルタバッグの第３の実施形態の変形の詳細を示す正面図である。
【図１９】図１２から図１６の単一葉のフィルタバッグの第３の実施形態の変形の詳細を示す側面図である。
【図２０】図１２から図１６の単一葉のフィルタバッグの第３の実施形態の変形の詳細を示す底面図である。
【図２１】図１２から図１６のフィルタバッグの変形を示す斜視図である。
【図２２】第４の浸出製品用の単一葉のフィルタバッグを斜視図で示す。
【図２３】第４の浸出製品用の単一葉のフィルタバッグを正面図で示す。
【図２４】第４の浸出製品用の単一葉のフィルタバッグを側面図で示す。
【図２５】第４の浸出製品用の単一葉のフィルタバッグを後面図で示す。
【図２６】第４の浸出製品用の単一葉のフィルタバッグを平面図で示す。
【図２７】図２２から図２６のフィルタバッグの実施形態の変形を示す斜視図である。
【図２８】図２２から図２６のフィルタバッグの実施形態の変形を示す正面図である。
【図２９】図２２から図２６のフィルタバッグの実施形態の変形を示す側面図である。
【図３０】図２２から図２６のフィルタバッグの実施形態の変形を示す後面図である。
【図３１】図２２から図２６のフィルタバッグの実施形態の変形を示す平面図である。
【発明を実施するための形態】
【００１４】
添付した図面、特に図１，６，１２，及び１７を参照して、単一葉又は単一チャンバーのフィルタバッグが、茶、コーヒー、カモミール茶葉等の浸出製品用に使用される。
【００１５】
全体として１で参照符号表示されているフィルタバッグは、基本的に、必要量の浸出製品４を包含するチャンバー３を形成する長いフィルタ材料２を有する。長いフィルタ材料２は、その２つの第１の縁部間に第１の結合Ｓ１によって形成される第１の封止上端部５と、第２の封止下端部７と、長いフィルタ材料２の第１の封止上端部５及び第２の封止下端部７を接続する２つの側面８，９とによって形成される四角形状を有する。
【００１６】
更に、フィルタバッグ１において、第１の封止上端部５及び第２の封止下端部７を接続する２つの側面８，９は、チャンバー３の内側に向かう折り目を形成するために互いに向かって少なくとも部分的に折り畳まれ、フィルタバッグ１の第２の封止下端部７は、フィルタバッグ１を支持するために、略三角形の横断面を備えた、安定した底面を形成するようにフィルタバッグ１の固い平坦な底面１１を形成するように構成された第２結合Ｓ２によって封止されている。
【００１７】
（図１〜４及び１２〜２１を参照して）細部について見ると、フィルタバッグ１の２つの実施形態において、第２の封止下端部７は、支持底面１１を直接形成するために、一方が他方の上に折り畳まれると共に当該第２の封止下端部７に沿って結合する２つの第２縁部７ａ及び７ｂを有する。
【００１８】
第２の実施形態（図６〜１１参照）において、第２の封止下端部７は、支持底面を形成する連続する底面１１を得るように、一方が他方の上に折り畳まれると共に側面８及び９の下部の端部８ａ、８ｂ、９ａ、９ｂで結合する２つの第２縁部７ａ及び７ｂを有する。
【００１９】
更に具体的に言うと、図１〜４に示された第１の実施形態において、側面８及び９により近接した２つの第２縁部７ａ及び７ｂのそれぞれの端部は、第２の封止下端部７で固い支持底面１１を形成するように、チャンバー３の内側に向かって部分的に折り畳まれて斜めの形状を形成すると共に他の縁部７ａ及び７ｂの一致する領域上で平らとなっている。
【００２０】
第３の実施形態（図１２〜１６参照）において、第２縁部７ａ及び７ｂは、第２の封止下端部７の中央の延長部を形成する。第２縁部７ａ及び７ｂは、互いに向かって折り畳まれ、支持底面１１上に折り畳まれてその固さを増大させるように、支持底面１１から突出し弾性的に構成されるタブ１２を形成するように結合される。
【００２１】
なお、タブ１２は、シールＳ４によって支持底面１１に対して折り畳まれ且つ安定して結合されてもよく、従って、より大きく固い長手方向の領域を形成する（図１７〜２０参照）。
【００２２】
図６〜１０に示される第２の実施形態において、第２縁部７ａ及び７ｂのそれぞれの２つの端部は、第１の封止上端部５に向かって折り畳まれて、他の縁部７ａ及び７ｂの各端部の上であって長いフィルタ材料２の（最初は開いている）接続側面８及び９の各下部の端部８ａ、８ｂ、９ａ、９ｂに配置され、斜めの形状を形成する。
【００２３】
第２縁部７ａ及び７ｂの各一対の端部は、接続側面８及び９の各下部の領域で、シールＳ２によって相互に結合され、これによって、長いフィルタ材料２の固い側面の領域を形成し、フィルタバッグ１の封止された支持底面１１のために広い支持肩部を形成する。
【００２４】
また、この特別な場合において、シールＳ２は、上述したように、最初は開いている各側面８，９を、それらがチャンバー３の内側に向かって折り畳まれた形状で結合するために、各側面８，９の略中央の領域に同時になされる。
【００２５】
更に、フィルタバッグ１は、長いフィルタ材料２に紐１３を備えてもよく、紐１３は、その一方の端部を長いフィルタ材料２自体にシールし、他方の端部を、長いフィルタ材料２に取り外し可能に取り付けられたタグ１４にシールすることによって結合されている。これによって、浸出中にフィルタバッグ１の正確な取り扱いが可能となる。
【００２６】
フィルタバッグ１の他の製造の特徴に関して、長いフィルタ材料２は、ろ紙又は（限定しない目的として、トウモロコシのデンプンのような）生分解性材料又は（ポリエチレンのような）非生分解性のプラスチック材料で構成してもよい。
【００２７】
長いフィルタ材料２の結合は、第１のヒートシールＳ１及び第２のヒートシールＳ２から構成しても、即ち、ヒートシールによって形成してもよい。
【００２８】
なお、２つの結合は、適当な接着剤を用いてなされる第１のシールＳ１及び第２のシールＳ２で構成してもよい。
【００２９】
更に別の代替例において、長いフィルタ材料２の２つの結合は、第１の超音波シールＳ１及び第２の超音波シールＳ２で構成してもよい。
【００３０】
上述した３つの実施形態全てに応用可能な１つの可能な変形によれば、長いフィルタ材料２の第１の封止上端部５の角部５ａ及び５ｂは、角度αに従って対称的に斜めになっている（図５，１１，２１参照）。
【００３１】
最初は開いている管状の形状を有する管状の長いフィルタ材料２は、上述した少なくとも最初の２つの実施形態では、管を封止して第３の結合又はシールＳ３を構成する中央の結合を有してもよい。
【００３２】
図２２〜２６及び２７〜３１は、その構造的な構成が図１２〜１６に示された実施形態の構造的な構成に基づく、フィルタバッグ１の別の２つの代替の実施形態を示している。
【００３３】
この場合において、長いフィルタ材料２は、紐１３を備え、その紐１３は、一方の端部で結び目Ａ１によって長いフィルタ材料２自体に結合されると共に、他方の端部で結び目Ａ２によってタグ１４に結合され、紐１３は、長いフィルタ材料２と、支持底面１１から突出し弾性的に構成されるタブ１２との周りに巻かれる。
【００３４】
また、タグ１４は、例えば、長いフィルタ材料２にシールによって取り外し可能に取り付けられてもよい。
【００３５】
タグ１４を長いフィルタ材料２上の位置に保持するために、タグ１４は、長いフィルタ材料２に対して保持されるように長いフィルタ材料２に結びつけられた紐１３の端部Ｐと係合するように、その上部に形成されたスリット１４ｆを有してもよい。
【００３６】
両方の解決策、即ち、紐１３によって支持され又は長いフィルタ材料２に取り付けられるという解決索において、タグ１４は、（封止シールＳ１が配置される）長いフィルタ材料２の第１の封止上端部５に配置され、長いフィルタ材料２自体から部分的に突出している。
【００３７】
図２７〜３１に示されるフィルタバッグ１は、主に、長いフィルタ材料２の第１の封止上端部５の角部５ａ及び５ｂが角度αに従って対称的に斜めになっているという点において異なる。
【００３８】
従って、上述したように形成されたフィルタバッグは、固い平坦な底面を形成するような、接続側面と長いフィルタ材料を封止する下端とに付与される特別な形状、即ち、使用前に、製品を楽に且つ安定して収容し、フィルタバッグを支持面に直立させることができるようにするだけでなく、浸出中に、製品をチャンバー内で最適に移動させ且つ広げることができるようにもなり、従って、より高品質な浸出と浸出時間の減少を保証するような、所定の容積を有するチャンバー３を提供する特別な形状によって、上述の目的が達成される。
【００３９】
上述した本発明は、産業上の利用可能性があり、本発明思想の範囲から逸脱することなくいくつかの方法で改良され及び適用されてもよい。更に、本発明の詳細は、技術的に均等の要素によって置換可能である。
【図１】
2009545498.tif 000003
【図２】
2009545498.tif 000004
【図３】
2009545498.tif 000005
【図４】
2009545498.tif 000006
【図５】
2009545498.tif 000007
【図６】
2009545498.tif 000008
【図７】
2009545498.tif 000009
【図８】
2009545498.tif 000010
【図９】
2009545498.tif 000011
【図１０】
2009545498.tif 000012
【図１１】
2009545498.tif 000013
【図１２】
2009545498.tif 000014
【図１３】
2009545498.tif 000015
【図１４】
2009545498.tif 000016
【図１５】
2009545498.tif 000017
【図１６】
2009545498.tif 000018
【図１７】
2009545498.tif 000019
【図１８】
2009545498.tif 000020
【図１９】
2009545498.tif 000021
【図２０】
2009545498.tif 000022
【図２１】
2009545498.tif 000023
【図２２】
2009545498.tif 000024
【図２３】
2009545498.tif 000025
【図２４】
2009545498.tif 000026
【図２５】
2009545498.tif 000027
【図２６】
2009545498.tif 000028
【図２７】
2009545498.tif 000029
【図２８】
2009545498.tif 000030
【図２９】
2009545498.tif 000031
【図３０】
2009545498.tif 000032
【図３１】
2009545498.tif 000033
【国際調査報告】
2009545498.tif 000034
2009545498.tif 000035
2009545498.tif 000036
2009545498.tif 000037
2009545498.tif 000038